(57)【特許請求の範囲】
【請求項１】
床構造体において用いられる際にその下面が支持脚によって支持され、スラブ床の上方側にほぼ水平に配置される遮音床パネルであって、
中空部を有し、
前記中空部の最上端と最下端の間の範囲を占める中層部分と、
前記中空部の最上端より上方側の範囲を占める上層部分と、
前記中空部の最下端より下方側の範囲を占める下層部分とから構成され、
前記上層部分のヤング率の厚み方向の積分値が、当該遮音床パネルの下面を前記支持脚で支持することで増える前記下層部分の剛性の増加分だけ、前記下層部分のヤング率の厚み方向の積分値よりも大きいことを特徴とする遮音床パネル。
【請求項２】
請求項１に記載の遮音床パネルと、
スラブ床の上方側にほぼ水平に配置するために、前記遮音床パネルの下面を支持する支持脚と
を有することを特徴とする床構造体。
【発明の詳細な説明】
【０００１】
【発明の属する技術分野】
本発明は、マンションなどの集合住宅に使用して好適な遮音床パネル、床構造体に関するものである。
【０００２】
【従来の技術】
マンションなどの集合住宅においては、上階から下階に騒音が伝わらないように、上階の床面に遮音対策を施す必要がある。この対策の一つに、上階の床面を乾式遮音二重床構造にする方法がある。
図１４は乾式二重床構造の内容を模式的に示したものである。乾式遮音二重床構造体１０８は、スラブ床１０５上に防振支持脚１０１を配設し、その上部に、床パネル１０７を支持するようにしたものである。防振支持脚１０１は、防振ゴム１０１ｂと、この防振ゴム１０１ｂ上に立設された支持ボルト１０１ａと、この支持ボルト１０１ａの上端部に設けられた支持ボード１０１ｃとからなる。床パネル１０７は、床下地パネル１００の上に仕上材１０３を貼付したもの等が使用される。
【０００３】
【発明が解決しようとする課題】
乾式遮音二重床構造体１０８によれば、弾力性を有する防振ゴム１０１ｂがクッションの役割をし、上階で発生した騒音が下階に伝わるのを軽減できる効果があった。しかしながら、子供が飛び跳ねたときに発生する衝撃音など、床パネル１０７の変位量が大きくなる場合には、防振ゴム１０１ｂのクッション性によっても、騒音を低減するには不十分であった。
このように、一般的に遮音性に優れているといわれる二重床構造体においても、いまだ遮音性は十分なものではなかった。また、集合住宅の建物によっては、二重床構造体を採用することができない場合もあり、かかる場合にも、適用することができる遮音対策が求められている。
本発明は、このような点を考慮して行われたものであり、遮音性に優れた遮音床パネル、床構造体を提供することを目的とする。
【０００４】
【課題を解決するための手段】
上記課題を解決するため、本発明は、床構造体において用いられる際にその下面が支持脚によって支持され、スラブ床の上方側にほぼ水平に配置される遮音床パネルであって、中空部を有し、前記中空部の最上端と最下端の間の範囲を占める中層部分と、前記中空部の最上端より上方側の範囲を占める上層部分と、前記中空部の最下端より下方側の範囲を占める下層部分とから構成され、前記上層部分のヤング率の厚み方向の積分値が、当該遮音床パネルの下面を前記支持脚で支持することで増える前記下層部分の剛性の増加分だけ、前記下層部分のヤング率の厚み方向の積分値よりも大きいことを特徴とする。
かかる遮音床パネルの構成によれば、パネル下面側の一部を支持するようにスラブ床の上部にほぼ水平に配置された場合、その支持に起因してパネル下層部における実質的な剛性は大きくなる。このため、上層部と下層部の剛性は全体としてバランスをとることができ、パネル上面に起振力を加えた場合に、同一の重量、同一の厚さのままで、パネル全体としての変位量は小さく抑えることができるため、高い遮音性を奏することができる。
【０００７】
本発明に係る床構造体は、上述した遮音床パネルと、スラブ床の上方側にほぼ水平に配置するために、前記遮音床パネルの下面を支持する支持脚とを有することを特徴とする。
かかる床構造体の構成によれば、上述した遮音床パネルの作用効果、すなわち、パネル上面に起振力を加えた場合に、パネル全体としての変位量は小さく抑えることができる効果をそのまま享受することができ、高い遮音性を奏することができる。
【０００８】
【発明の実施の形態】
以下、本発明における一実施形態について図面を参照して説明する。
【０００９】
Ａ．実施形態の説明
Ａ１．構成概要
以下、本発明に係る遮音床パネルを、乾式遮音二重床構造体に適用した場合の実施形態について説明する。
本実施形態に係る乾式遮音二重床構造体（以下、単に床構造体という）１０の側断面図を図１に、主要部の斜視図を図２に示す。床構造体１０は、建物の躯体であるスラブ床２０の上に間隔を空けて配置される防振支持脚３０と、防振支持脚３０によって支持される遮音床パネル６０から構成されており、全体的な構造は従来の乾式遮音二重床構造体と同じ構造である。
【００１０】
次に、本発明を特徴付ける遮音床パネル６０の構成について説明する。
図３は、遮音床パネル６０の側断面図である。本実施形態に係る遮音床パネル６０は、上層部５１、中層部５２、下層部５３という３つの部分を構成要素としている。
図３に示したように、中層部５２には、台形型の断面を有する複数の空洞（中空部）５２１ａ，５２１ｂ，……が設けられている。本実施形態における中層部５２の具体的な領域は、これら複数の空洞のうちの最下部を含む水平面（図３の例では、空洞５２１ａの台形長辺５２１ｘを含む水平面）および、最上部を含む水平面（図３の例では、空洞５２１ｂの台形長辺５２１ｙを含む水平面）によって挟まれた部分である。
すなわち、中層部５２は、空洞（中空部）５２１ａ，５２１ｂ，……における最上端と最下端の間の範囲を占める部分をいう。
そして、中層部５２の上側に位置する部分が上層部５１であり、中層部５２の下側に位置する部分が下層部５３である。
【００１１】
以上のようにして上層部５１、中層部５２および下層部５３の各層を独立層として考えた場合、本実施形態に係る中空パネル６０の特徴点は、上層部５１の厚さｈ５１を、下層部５３の厚さｈ５３よりも大きくした点である。以下、このような構成とした理由、本発明の原理説明を行う。
【００１２】
Ａ２．本発明の原理
上述したように、パネルの上層部５１、中層部５２および下層部５３の各層を独立した層として考えた場合、パネル上面（上層部５１の上面）に起振力Ｆを加えると、上層部５１と下層部５３は、別々の挙動をとることが知られている。より具体的には、パネル上面に起振力Ｆを加えると、上層部５１は圧縮される方向に、下層部５３は引張られる方向の力が働くことになる。
従来の中空パネルは、上層部５１と下層部５３の厚さを調整するようなことは特に行われていなかった。パネル製造上の都合から、上層部５１と下層部５３の厚さは同じになっているものが多かったといえる。
【００１３】
ところで、中空パネルを単体、すなわち支持のない状態として考えた場合、上層部５１と下層部５３につき同量の材料を用い、上層部５１と下層部５３の剛性を同じ値にすれば、中層部５２の形状を同一としたとき、パネル全体としての断面二次モーメントは最大となる。このため、パネル曲げに抗する力が大きくなり、パネルの変位量を最も小さく抑えることができる。
ここでいう剛性とは、各層の強度をいい、層の厚さｈとヤング率Ｅの値によって決まる値である。たとえば、パネルの上層部５１と下層部５３のヤング率が同じ場合、各層の厚さｈを同じにすれば、上層部５１と下層部５３の剛性は同じになり、上記理由によりパネル変位量を最も小さく抑えることができる。いいかえれば、上層部５１と下層部５３の剛性のバランスがとれている状態において、パネル曲げに抗する力が最大になる。
しかしながら、実際に中空パネルを使用するにあたっては、パネル単体で使用するのではなく、たとえばパネルの下面（下層部５３の底面）の一部に支持を加えた状態で使用することになる。本実施形態では、スラブ床２０の上に配置した防振支持脚３０で中空パネル６０の下面に支持を加えた状態となっている。
【００１４】
本発明の出願人は、このように、パネル下面側の一部を支持するようにして設置すると、この支持に起因して下層部５３の剛性が実質的に大きくなるのではないかという点に着目し、以下のような仮説を立てた。以下、本発明の出願人が立てた仮説の内容を説明する。
中空パネルを単体として考えたときは、上層部５１と下層部５３の剛性は同じであったとしても、パネル下部（下層部５３の底面）の一部に支持を加えると、かかる支持に起因して下層部５３の剛性は上層部５１よりも大きくなり、結果、上層部５１と下層部５３の剛性のバランスが崩れることになる。
より具体的に説明すると、上層部５１に荷量がかかった場合、下層部５３は伸張方向、上層部５１は圧縮方向に力が働くことになるが、支持脚が下層部５３を支持すると、パネル下層部５３の伸張を拘束するので、結果、上層部５１よりも下層部５３の曲げに抗する力を増加させることになる。また、上層部５１に引張り力がかかった場合、下層部５３は圧縮方向、上層部５１は伸張方向に力が働くことになるが、支持脚が下層部５３を支持すると、パネル下層部５３の圧縮を拘束するので、結果、この場合も上層部５１よりもパネル下層部５３の曲げに抗する力を増加させることになる。このように、支持脚が下層部５３を支持することにより、上層部５１よりもパネル下層部５３の曲げに抗する力を増加させることになり、上層部５１と下層部５３の剛性のバランスが崩れることになるのである。
【００１５】
以上の考察により、パネル単体を設計するに際しては、下層部５３に支持が加わることを踏まえた上で、下層部５３よりも上層部５１の剛性を敢えて大きなものにしておくべきである。そして、下層部５３に支持が加わった段階で、上層部５１と下層部５３の剛性のバランスが取れるようにしておけば、パネルを床構造に組み入れた段階においてのパネル変位量を小さく抑えることができ、遮音性をより高めることができる。
本発明の出願人は以上のような仮説を立てた。
【００１６】
ここで、パネルの上層部５１と下層部５３の剛性を考慮するにあたっては、上述したように上層部５１と下層部５３における層の厚さおよびヤング率の値を検討する必要がある。
このため、本発明の出願人は、厚さ方向に座標ｔ軸をとり、ヤング率Ｅ（ｔ）を厚さ方向に積分した値
【式１】
0003991708.tif 000002
を剛性パラメータとして定義した。ここで、説明の便宜上、以下の説明においてはヤング率Ｅが厚さ方向に一定値であること、すなわちヤング率Ｅがｔの値に依存しないことを想定する。
この場合、剛性パラメータの値はＥ×ｈとして表すことができるので、上層部５１における層の厚さをｈ５１、ヤング率をＥ５１とすると、上層部５１における剛性パラメータｈＥ５１は、ｈＥ５１＝ｈ５１×Ｅ５１として求めることができる。また、下層部５３における層の厚さをｈ５３、ヤング率をＥ５３とすると、下層部５３における剛性パラメータｈＥ５３は、ｈＥ５３＝ｈ５３×Ｅ５３として求めることができる。
本発明の出願人は、以下の式を満たすように中空パネル６０の設計を行えば、遮音性の向上を図ることができるのではないかというより具体的な仮説を立てた。
【００１７】
ｈＥ５１＞ｈＥ５３
ｈＥ５１：上層部５１における剛性パラメータの値
ｈＥ５３：下層部５３における剛性パラメータの値
【００１８】
本発明の出願人は、上記した仮説を検証するために、具体的なシミュレーション実験を行った。シミュレーション実験の内容は、中空パネルにおける上層部、下層部の剛性パラメータｈＥの大小関係と、パネル全体の変位量との相関関係を調べるというものである。
なお、このシミュレーション実験においては、中空パネル６０における上層部５１と下層部５３のヤング率Ｅ５１，Ｅ５３は同じ値であることを想定し、剛性（剛性パラメータｈＥの値）は、各層の厚さｈ５１，ｈ５３に比例する値となるようにした。
【００１９】
シミュレーション実験で使用した３つのサンプルパネル（中空パネルＳｍｐ１〜Ｓｍｐ３）の具体内容を図４〜図６に示す。図６に示した３つのサンプルパネルは、材質（ヤング率）などの条件は同一であり、上層部５１と下層部５３の厚さの大小関係を変えたものに相当する。また、単位面積あたりの原材料は同一量である。
図４は、中空パネルＳｍｐ１の具体内容であり、上層部５１と下層部５３の厚さを同じ値にしたものである（ｈ５１＝ｈ５３）。すなわち、中空パネルＳｍｐ１における上層部５１と下層部５３の剛性パラメータの値は同じであり（ｈＥ５１＝ｈＥ５３）、これは、従来の中空パネルの内容に相当するものである。
図５は、中空パネルＳｍｐ２の具体内容であり、上層部５１よりも下層部５３の厚さを大きくしたものである（ｈ５１＜ｈ５３）。すなわち、中空パネルＳｍｐ２における上層部５１の剛性パラメータの値のほうが下層部５３の剛性パラメータの値よりも小さくなっている（ｈＥ５１＜ｈＥ５３）。
図６は、中空パネルＳｍｐ３の具体内容であり、下層部５３よりも上層部５１の厚さを大きくしたものである（ｈ５１＞ｈ５３）。すなわち、中空パネルＳｍｐ３における上層部５１の剛性パラメータの値のほうが下層部５３の剛性パラメータの値よりも大きくなっている（ｈＥ５１＞ｈＥ５３）。
なお、このシミュレーション実験に係る中層部５２に設けた空洞形状は、本実施形態に係る中空パネル６０に設けた空洞形状とは異なるものとなっているが、中層部５２によって上層部５１、下層部５３に分けられるパネルという点では同質であり、シミュレーション実験の結果に何ら余計な影響を与えるものではない。
【００２０】
実際のシュミレーションは、以上示した３つのサンプルパネル（中空パネルＳｍｐ１〜Ｓｍｐ３）の両端を固定支持した状態とした上で、各々のパネル上面（上層部５１の上面）に起振力Ｆを加えた場合の、各パネルの変位量（振動幅）を測定することにより行った。
たとえば、中空パネルＳｍｐ１については、下層部５３の両端底辺Ｓｍｐ１Ｌ，Ｓｍｐ１Ｒを固定支持した後、上層部５１の上面中心に、垂直方向に起振力Ｆを加えた。そして、中空パネルＳｍｐ１全体の垂直方向における変位量をシミュレートした。他の中空パネルＳｍｐ２，Ｓｍｐ３についても同様である。
【００２１】
図７は、シミュレーション結果を示す図である。最も変位量の小さいものは中空パネルＳａｍ３であり、最も変位量が大きいものは中空パネルＳｍｐ２であった。
すなわち、下層部５３の厚さｈ５３よりも上層部５１の厚さｈ５１が大きい中空パネルＳｍｐ３がパネル全体の変位量は最も小さく、下層部５３の厚さｈ５３よりも上層部５１の厚さｈ５１が小さくなるに従いパネル全体の変位量は大きくなっていくことがわかった。
以上のシミュレーション結果により、本発明の出願人が立てた仮説、すなわち、上層部５１の厚さｈ５１を下層部５３の厚さｈ５３よりも大きくし、上層部５１の剛性パラメータｈＥ５１の値を下層部５３の剛性パラメータｈＥ５３の値よりも大きくしておけば、パネル全体の変位量を最も小さく抑えることができることが検証された。
言い換えれば、中空パネルＳｍｐ３単体としては、下層部５３の厚さｈ５３よりも上層部５１の厚さｈ５１が大きいので、下層部５３の剛性パラメータｈＥ５３の値よりも上層部５１の剛性パラメータｈＥ５１の値が大きく、アンバランスな状態となっている。しかしながら、中空パネルＳｍｐ３の下層部５３の底面両端に支持を加えることにより、下層部５３の剛性は実質的に大きなものとなり、この段階で上層部５１と下層部５３の剛性のバランスが保たれた状態になるのである。このため、下層部５３の両端を支持した状態で、起振力Ｆを加えた場合、上層部５１の圧縮方向に働く力と、下層部５３の引張り方向に働く力とのバランスが保たれるので、同一量の原材料を用いながらパネル全体としての変位量を小さく抑える効果を奏する点が検証された。
【００２２】
なお、本シミュレーションにおいては、ヤング率Ｅは素材内で一定であることを仮定したため、剛性パラメータは厚さとヤング率との積算値ｈ×Ｅとして考えることができる。しかしながら、ヤング率の異なる材料を積層させて使用する場合などで、ヤング率の値が層内の場所によって異なる場合は、剛性パラメータの値は、上述したようにヤング率を厚み方向に積分した値によって考える必要がある（式１参照）。以下の実施形態における剛性パラメータの値についても同様である。
【００２３】
Ａ３．中空パネル６０の材料・製造方法について
次に、本実施形態に係る中空パネル６０の製造方法、材質について具体的に説明する。中空パネル６０の製造方法、材質は、一般的な中空パネルの製造方法、材料とほぼ同じである。すなわち、中空パネル６０は、木質薄片にバインダーを付着させた後、図８に示すように、木質薄片の一層〜数層目の上に、連結板５６０ａで等間隔に連結された台形上アルミニウム棒からなる中子５６０を配置させる。次いで、木質薄片を一層〜数層分散布した後、連結板５６０ｂで等間隔に連結された台形上アルミニウム棒からなる中子５６０を配置し、木質薄片をさらに散布させる。この際、連結板５６０ａで連結された中子５６０と、連結板５６０ｂで連結された中子５６０とは、台形が上下逆向きになるように配置させる。
【００２４】
ここで、従来の中空パネルの製造方法と比較し、中空パネル６０の製造方法を特徴づける点は、中子５６０の配置位置をパネルの中心よりも下側に調整する点である。中子５６０の配置位置を調整することにより、上層部５１の厚さｈ５１のほうが下層部５３の厚さｈ５３よりも厚い中空パネル６０を製造することができる。
このように、従来の中空パネルを製造する場合に比較し、中子５６０の配置位置を調整することだけで、本実施形態に係る中空パネル６０を製造することができるのである。このため、本実施形態に係る中空パネル６０を製造するにあたり、複雑な製造過程が加わったり、製造上のコストアップが生じるような問題はない。
その後に、木質薄片を積層した上記積層体７０を、温度１４０〜２２０［℃］、圧力１５〜４０［kg/cm2］で６〜１５分間熱圧成形し、厚さが１／３〜１／３０になるまで熱圧成形させる。その後、冷却させた後、中子５６０を引き抜き、積層体７０の外周をトリミングすることによって、中空パネル６０を製造することができる。
【００２５】
なお、本実施形態に係る中空パネル６０の製造方法は上述方法に限られない。
たとえば、平板である上層部５１および下層部５３と、波板状の中層部５２を別途生成したものを積層する製造方法を採用することもできる。この製造方法においては、上層部５１と下層部５３を生成するときに、上層部５１の厚さｈ５１のほうが下層部５３の厚さｈ５３よりも厚くしておけば、本実施形態に係る中空パネル６０を製造することができる。
【００２６】
Ａ４．具体的な実施形態
本実施形態は、中空パネル６０を、乾式遮音二重床構造体１０に適用したものである。
図１、図２に示したように、本実施形態においては、中空パネル６０の底面（下層部５３の底面）の一部を防振支持脚３０で支持するようにして床構造体１０を形成している。上記シミュレーションにおいても検証した点であるが、このように中空パネル６０の底面の一部に支持を加えた場合、実質的にパネル下層部５３の剛性は大きなものになる。
このため、本実施形態に係る中空パネル６０は、上層部５１の厚さｈ５１を、下層部５３の厚さｈ５３よりも大きくし、上層部５１の剛性（剛性パラメータｈＥ５１の値）を、下層部５３の剛性（剛性パラメータｈＥ５３の値）よりも敢えて大きなものにしておく。そして、パネルを防振支持脚３０で支持した状態において、上層部５１と下層部５３の剛性のバランスがとれた状態に近づけておく。このため、本実施形態における床構造体１０においては、パネル上面に起振力Ｆを加えた場合において、上層部５１の圧縮方向の変形に抗する力と、下層部５３の引張り方向の変形に抗する力とのバランスが保たれることとなり、パネル全体としての変位量は小さく抑えることができる。その結果、床構造体１０の遮音性は高いものとなり、上階から下階に伝わろうとする騒音を遮断する効果を奏することができる。
【００２７】
Ｂ．効果
以上説明したように、本実施形態に係る床構造体１０に使用した遮音床パネル（中空パネル）６０は、上層部５１の厚さｈ５１を下層部５３の厚さｈ５３よりも大きくすることにより、上層部５１の剛性パラメータの値ｈＥ５１を、下層部５３の剛性パラメータｈＥ５３の値よりも大きくなるようにしておく。すなわち、パネル単体においては、下層部５３よりも上層部５１の剛性が大きくなるようにしておく。
そして、本実施形態に係る中空パネル６０は、パネル下面側（下層部５３）の一部を支持するようにして使用すると、実質的に下層部５３の剛性が大きくなる結果、上層部５１と下層部５３の剛性のバランスが保たれるようになっている。このため、起振力Ｆをパネル上面に加えた場合に、上層部５１の圧縮方向の変形に抗する力と、下層部５３の引張り方向の変形に抗する力とのバランスを保つことができ、パネル全体としての変位量を抑えることができ、結果、床構造体１０としての遮音性を高める効果を奏することができるのである。
【００２８】
ここで、上層部５１と下層部５３のヤング率の厚み方向の積分値を調整するにあたっては、上層部５１と下層部５３の材質が同じ、すなわちヤング率が同値である場合は、厚さの調整を行うだけで事足りる。このため、本実施形態に係る中空パネル６０の製造に際し、従来に比べ製造工程が煩雑になることもなく、たとえば中子５６０の配置位置を調整することだけで、本実施形態に係る中空パネル６０を製造することができる。あるいは、上層部５１と下層部５３を別個に形成してパネルを製造する方法においては、形成する上層部５１と下層部５３の寸法（厚さなど）を変更するだけで本実施形態に係る中空パネル６０を製造することができる。
このように、本実施形態に係る中空パネル６０を実施するにあたり、従来に比べて、パネル製造、材料費のコストアップが生じることもない。
【００２９】
Ｃ．変形例
上述した各実施形態は、あくまでも例示であって、本発明の一態様であり、本発明の範囲内で任意に変更可能である。以下に、いくつかの変形例を示す。
【００３０】
（変形例１）
本実施形態に係る中空パネル６０は、乾式遮音二重床以外の床構造にも適用することができる。すなわち、本実施形態に係る中空パネル６０を使用するにあたっては、パネル下層部５３の一部を支持するようにし、下層部５３の剛性を実質的に大きくすれば、上述実施形態と同様の作用、効果を奏することができる。
このため、中空パネル６０の下層部５３の一部を支持するような構成をとる床構造であれば、本実施形態に係る中空パネル６０の適用が可能である。
【００３１】
（１）図９は、ころばし根太構造を採用する床構造体７０Ａを模式的に示す図である。この床構造体７０Ａは、スラブ床７１の上に直方体形状の根太７２を設置し、根太７２を跨ぐようにして上述実施形態に係る中空パネル６０を針打ち配置するというものである。
このような床構造体７０Ａにおいても、中空パネル６０の下層部５３は部分的に根太７２により支持される関係を形成し、実質的に下層部５３の剛性を大きくする作用を生じることになる。その結果、上述実施形態と同様の作用、効果を奏することができる。二重床構造を採用できない事情がある場合においても、本実施形態に係る中空パネル６０は利用することができる。
【００３２】
（２）上述したころばし根太構造を採用する床構造体７０Ａにおいて、中空パネル６０と根太７２の配置向きは特に限定されない。上述床構造体７０Ａにおいては、中空パネル６０の空洞形成方向と根太７２の配置向きが同じであったが、図１０に示すように配置向きが異なるようにした床構造体７０Ｂであってもよい。すなわち、中空パネル６０の下層部５３の一部を支持する点においては、床構造体７０Ａも床構造体７０Ｂも同じであるため、実質的に下層部５３の剛性を大きくする作用を生じることになることには変わりがない。このため、床構造体７０Ｂにおいても、上述実施形態と同様の作用、効果を奏することができる。
【００３３】
（３）図１１は、スラブ床８０の上に中空パネル６０を直接配置した床構造８２を示したものである。スラブ床８０と中空パネル６０の間に、クッション性を有する緩衝シート８１を介在させるようにしてもよい。
このような床構造８２であっても、中空パネル６０の下層部５３が支持される点には変わりなく、実質的に下層部５３の剛性を大きくする作用を生じることになる。その結果、上述実施形態と同様の作用、効果を奏することができる。
【００３４】
（変形例２）
上述実施形態に係る中空パネル６０においては、パネル上面と、パネル下面は平滑状態となっていることを想定したが、パネル下面は特に平滑となっていなくてもよい。平滑状態になっていなくても、上層部、中層部および下層部から成形された積層構造をとり、前記中層部には空洞が形成され、前記上層部の厚さが、下層部の厚さよりも実質的に大きくなっていれば、本発明の原理がそのまま適用される。そして、下面側（下層部）の一部が支持されるようにして床構造に用いれば、上述した実施形態と同様の作用効果を奏することができる。図１２は、本変形例に係る中空パネル６０Ｆを模式的に示したものであり、パネル底面が凹凸状となっている。
【００３５】
（変形例３）
上述した実施形態では、中空パネル６０における上層部５１と下層部５３のヤング率Ｅは同じ値であることを想定し、剛性（剛性パラメータｈＥの値）は、各層の厚さｈ５１，ｈ５３の値に比例するものとなっていた。
剛性パラメータの値が、ヤング率の厚さ方向の積分値によって決定される値である点に改めて着目すれば、上層部５１と下層部５３の厚さを同じにし、各層内でヤング率が均一である場合は、剛性（剛性パラメータｈＥの値）は、各層のヤング率Ｅ５１，Ｅ５３の値に比例するものとなる。すなわち、上層部５１と下層部５３の厚さを同じにし、上層部５１のヤング率の値Ｅ５１を下層部５３のヤング率の値Ｅ５３よりも大きくした中空パネル６０によっても本発明の原理がそのまま適用でき、上述実施形態と同様の作用効果を奏することができる。
上層部５１と下層部５３におけるヤング率Ｅ５１，Ｅ５３の値を調整する方法の一つとして、中空パネル６０の製造過程時に、鋼棒やＦＲＰ（Fiber Reinforced Plastics）などの補強材を上層部５１に加える方法がある。補強材を加えることにより、上層部５１のヤング率の値Ｅ５１の値は下層部５３のヤング率Ｅ５３よりも大きくすることができるので、結果として、上層部５１の剛性パラメータｈＥ５１の値が下層部５３の剛性パラメータｈＥ５３の値よりも大きく調整することができる。
【００３６】
（変形例４）
上述実施形態においては、パネル中層部５２における空洞部は、その断面形状が台形であったが、台形以外の形状であってもよい。たとえば、楕円や正円などの円形であってもよく、三角形や正方形などの多角形であってもよい。中空パネル６０の製造時において、中子５６０の形状を調整することにより、任意の空洞形状を有する中空パネルを製造することができる。
本変形例に係る中空パネルの側断面図を図１３に例示する。図１３（ａ）は、空洞の側断面が長円型の中空パネル６０Ｐ、図１３（ｂ）は、空洞の側断面が円型の中空パネル６０Ｑ、空洞の側断面が三角型の中空パネル６０Ｒである。例示した中空パネル６０Ｐ〜６０Ｒにおいても、空洞部を有する中層部５２Ｐ〜５２Ｒ、上側の上層部５１Ｐ〜５１Ｒ、下側の下層部５３Ｐ〜５３Ｒから構成される点において、上記実施形態に係る中空パネル６０と同質である。このため、上層部５１Ｐ〜５１Ｒの剛性（剛性パラメータｈＥ）を下層部５３Ｐ〜５３Ｒのものよりも大きくしておけば、上述実施形態と同様の作用、効果を奏することができる。
なお、本変形例に係る中空パネル６０Ｐ〜６０Ｒにおける中層部５２Ｐ〜５２Ｒは、複数ある空洞において最も上の部分を含む水平面、空洞において最も下の部分を含む水平面によって挟まれた部分をいう。図１３（ａ）に例示する中空パネル６０Ｐにおいては、長円型の空洞における上辺の平らな部分を含む水平面６０１と、下辺の平らな部分を含む水平面６０２とによって挟まれた部分が中層部５２Ｐとなる。そして、中層部５２Ｐの上側が上層部５１Ｐ、中層部５２Ｐの下側が下層部５３Ｐとなる。他の中空パネル６０Ｑ，６０Ｒについても同様である。
【００３７】
（変形例５）
また、上述した各実施形態およびその変形例においては、集合住宅における上階の床材として使用することを前提とした説明をしているが、騒音を軽減させる目的であれば他の用途に使用することもできる。たとえば、学校やコンサートホールなどの床下地材、または床ではなく部屋の防音壁にも使用することとしてもよい。
【００３８】
【発明の効果】
以上説明したように、本発明によれば、遮音性に優れた遮音床パネル、床構造体を提供することができる。
【図面の簡単な説明】
【図１】  本発明の実施形態に係る床構造体１０の側断面図である。
【図２】  同床構造体１０の主要部の斜視図である。
【図３】  同床構造体１０における中空パネル６０の側断面図である。
【図４】  本発明の出願人が行ったシミュレーション実験における中空パネルＳｍｐ１の内容を示す図である。
【図５】  本発明の出願人が行ったシミュレーション実験における中空パネルＳｍｐ２の内容を示す図である。
【図６】  本発明の出願人が行ったシミュレーション実験における中空パネルＳｍｐ３の内容を示す図である。
【図７】  出願人が行ったシミュレーション実験の結果を説明するための図である。
【図８】  本発明の実施形態に係る中空パネル６０の製造方法を説明するための図である。
【図９】  本発明の変形例に係る床構造体７０Ａを示す図である。
【図１０】  本発明の変形例に係る床構造体７０Ｂを示す図である。
【図１１】  本発明の変形例に係る床構造体８２を示す図である。
【図１２】  本発明の第２変形例を説明するための図である。
【図１３】  本発明の第４変形例を説明するための図である。
【図１４】  従来の床構造体１０８を示す図である。
【符号の説明】
１０……乾式遮音二重床構造体（床構造体）、
２０……スラブ床、
３０……防振支持脚（支持手段）、
３１……防振ゴム、３２……支持ボルト、３３……支持ボード、
６０……遮音床パネル（中空パネル）、
５１……上層部、５２……中層部、５３……下層部、
７０Ａ，７０Ｂ……床構造体、
７１……スラブ床、７２……根太（支持手段）、
８０……スラブ床（支持手段）、８１……緩衝材（支持手段）、８２……床構造体、
１０１……防振支持脚、１０１ａ……支持ボルト、１０１ｂ……防振ゴム、
１０１ｃ……支持ボード、１０５……スラブ床、
１０７……床パネル、１０８……乾式遮音二重床構造体。
【図１】
0003991708.tif 000003
【図２】
0003991708.tif 000004
【図３】
0003991708.tif 000005
【図４】
0003991708.tif 000006
【図５】
0003991708.tif 000007
【図６】
0003991708.tif 000008
【図７】
0003991708.tif 000009
【図８】
0003991708.tif 000010
【図９】
0003991708.tif 000011
【図１０】
0003991708.tif 000012
【図１１】
0003991708.tif 000013
【図１２】
0003991708.tif 000014
【図１３】
0003991708.tif 000015
【図１４】
0003991708.tif 000016